(57)【特許請求の範囲】
【請求項１】
（ａ）過酸化水素又は水中で過酸化水素を発生する化合物、（ｂ）下記一般式（ｂ１）で表される化合物、（ｃ１）アルキル基の炭素数が８〜１８、オキシアルキレン基の平均付加モル数が７〜１２のポリオキシアルキレンアルキルエーテル、（ｃ２）アルキル基の炭素数が８〜１８、オキシアルキレン基の平均付加モル数が２〜５のポリオキシアルキレンアルキルエーテル、及び（ｄ）水を混合する工程を有する液体漂白剤組成物の製造方法であって、
混合する全成分中の割合が、（ａ）０．１〜３０質量％（過酸化水素として）、（ｂ）０．５〜１０質量％、（ｃ１）と（ｃ２）の合計が１〜２０質量％であり、且つ
（ｂ）と（ｃ１）と（ｃ２）とを（ｂ）／〔（ｃ１）＋（ｃ２）〕＝１／１０〜２０／１０の質量比で、（ｃ１）と（ｃ２）とを（ｃ１）／（ｃ２）＝１２／１〜４０／１の質量比で混合する、
液体漂白剤組成物の製造方法。
Ｒ1b−（ＯＲ2b）xＧy        （ｂ１）
〔式中、Ｒ1bは炭素数８〜１６の炭化水素基、Ｒ2bは炭素数２〜４のアルキレン基、Ｇは還元糖に由来する残基、ｘは平均値０〜６の数、ｙは平均値１〜１０の数を示す。〕
【請求項２】
更に、（ｅ）水溶性溶剤を０．１〜１０質量％（混合する全成分中の割合）混合する、請求項１記載の液体漂白剤組成物の製造方法。
【請求項３】
（ｅ）が下記の一般式（ｅ１）で表される化合物である、請求項２記載の液体漂白剤組成物の製造方法。
Ｒ1e−Ｏ−［（Ｃ2Ｈ4Ｏ）p／（Ｃ3Ｈ6Ｏ）q］−Ｒ2e        （ｅ１）
〔式中、Ｒ1e及びＲ2eは、それぞれ水素原子、炭素数１〜８の炭化水素基を示すが、Ｒ1e及びＲ2eの双方が水素原子となる場合を除く。ｐはＣ2Ｈ4Ｏの平均付加モル数であり０〜１０の数を、ｑはＣ3Ｈ6Ｏの平均付加モル数であり０〜１０の数を示すが、ｐ及びｑの双方が０である場合を除く。“／”は、Ｃ2Ｈ4ＯとＣ3Ｈ6Ｏがランダム付加でもブロック付加でもよいことを示す記号である。〕
【請求項４】
（ｃ２）のアルキル基が分岐構造を有するアルキル基である、請求項１〜３の何れか１項に記載の液体漂白剤組成物の製造方法。
【請求項５】
請求項１〜４の何れか１項に記載の製造方法で得られた液体漂白剤組成物。
【請求項６】
請求項１〜４の何れか１項に記載の製造方法で得られた液体漂白剤組成物から形成される泡状の組成物を、共役二重結合を有する色素で汚染された衣類と接触させる衣類の洗浄方法。
【請求項７】
上記共役二重結合を有する色素がクロロフィルである、請求項６記載の衣類の洗浄方法。
【発明の詳細な説明】
【技術分野】
【０００１】
本発明は、液体漂白剤組成物の製造方法、液体漂白剤組成物、及び衣類の洗浄方法に関する。
【背景技術】
【０００２】
過酸化水素を主基剤とする酸素系液体漂白剤は色・柄物に使用でき、汚れに直接塗布できるなどの利点から好まれて使用されている。酸素系液体漂白剤は、アルカリ洗剤と共に洗濯機に入れて洗浄する方法、又は汚れに直接塗布した後、アルカリ洗剤と共に洗濯機で洗浄する方法で使用されるのが一般的であるが、未だ漂白効果は満足できるものではない。
【０００３】
例えば、これを解決する方法として特許文献１には、過酸化水素、アルキルグリコシド型界面活性剤、ポリオキシアルキレンアルキルエーテル及び水を含有する液体組成物から形成される衣料漂白用泡状組成物を用いることにより優れた漂白効果が得られることが、また、特許文献２には、アルキルグリコシド型界面活性剤、水溶性溶剤、ＨＬＢが１１〜１４の非イオン界面活性剤及び水を含有する液体洗浄剤組成物が洗浄力を維持しつつ、起泡性を大幅に改善できることが開示されている。
【０００４】
更に、特許文献３には、過酸化水素とポリオキシエチレン基の長さの異なる複数の非イオン界面活性剤を含有する衣料用液体漂白剤組成物が、塗布使用で高い性能を発現する低ＨＬＢ非イオン界面活性剤を含有する系における高い安定性、より高い漂白性や洗浄性を発現できることが、特許文献４には、過酸化水素とＨＬＢが近接する複数の非イオン界面活性剤を含有する液体漂白剤組成物が、温度の変化に対して粘度の変化が小さく、しかも貯蔵中に過酸化水素の分解がないことが、更に、特許文献５には、過酸化水素、陽イオン界面活性剤及び親水性非イオン界面活性剤を含む特定の界面活性剤系が高温での漂白性能に優れることが開示されている。
【先行技術文献】
【特許文献】
【０００５】
【特許文献１】特開平２００４−７６００６号公報
【特許文献２】特開２００５−３２５１８５号公報
【特許文献３】特開２００９−２９２９０３号公報
【特許文献４】特開平９−１８８８９５号公報
【特許文献５】特表平１０−５０３１６２号公報
【発明の概要】
【発明が解決しようとする課題】
【０００６】
これら特許文献に記載の液体漂白剤組成物を衣料に適用する場合、優れた漂白効果や洗浄効果を有するものの、更に一段と優れる漂白・洗浄性能を有する製品の提供が求められていた。特に、衿回りの皮脂に由来する疎水性汚れ及びほうれん草などの植物に由来する色素汚れのような性質の異なる複数の汚れに対しても有効な漂白・洗浄性能を発現できる製品の提供が求められていた。
【０００７】
また、この点につき、特許文献３又は４には、複数の非イオン界面活性剤を含有する液体漂白剤組成物が開示されているものの、疎水性汚れや色素汚れといった複数の汚れに対する漂白力や洗浄力をより一層向上させることに関しては記載も示唆もない。
【０００８】
従って本発明の課題は、疎水性汚れや色素汚れといった複数の汚れに対しても優れた漂白効果や洗浄効果が得られる液体漂白剤組成物を提供することにある。
【課題を解決するための手段】
【０００９】
本発明は、（ａ）過酸化水素又は水中で過酸化水素を発生する化合物〔以下、（ａ）成分という〕、（ｂ）下記一般式（ｂ１）で表される化合物〔以下、（ｂ）成分という〕、（ｃ１）アルキル基の炭素数が８〜１８、オキシアルキレン基の平均付加モル数が７〜１２のポリオキシアルキレンアルキルエーテル〔以下、（ｃ１）成分という〕、（ｃ２）アルキル基の炭素数が８〜１８、オキシアルキレン基の平均付加モル数が２〜５のポリオキシアルキレンアルキルエーテル〔以下、（ｃ２）成分という〕、及び（ｄ）水〔以下、（ｄ）成分という〕を混合する工程を有する液体漂白剤組成物の製造方法であって、
混合する全成分中の割合が、（ａ）０．１〜３０質量％（過酸化水素として）、（ｂ）０．５〜１０質量％、（ｃ１）と（ｃ２）の合計が１〜２０質量％であり、且つ
（ｂ）と（ｃ１）と（ｃ２）とを（ｂ）／〔（ｃ１）＋（ｃ２）〕＝１／１０〜２０／１０の質量比で、（ｃ１）と（ｃ２）とを（ｃ１）／（ｃ２）＝１２／１〜４０／１の質量比で混合する、
液体漂白剤組成物の製造方法に関する。
Ｒ1b−（ＯＲ2b）xＧy        （ｂ１）
〔式中、Ｒ1bは炭素数８〜１６の炭化水素基、Ｒ2bは炭素数２〜４のアルキレン基、Ｇは還元糖に由来する残基、ｘは平均値０〜６の数、ｙは平均値１〜１０の数を示す。〕
【００１０】
また、本発明は、上記本発明の製造方法で得られた液体漂白剤組成物に関する。
【００１１】
また、本発明は、上記本発明の製造方法で得られた液体漂白剤組成物から形成される泡状の組成物を、共役二重結合を有する色素で汚染された衣類と接触させる衣類の洗浄方法に関する。
【発明の効果】
【００１２】
本発明によれば、優れた漂白効果や洗浄効果、特に、疎水性汚れや色素汚れといった複数の汚れに対しても優れた漂白効果や洗浄効果が得られる液体漂白剤組成物を製造できる製造方法、及び衣類の洗浄方法が提供される。
【発明を実施するための形態】
【００１３】
＜液体漂白剤組成物の配合成分＞
〔（ａ）成分〕
（ａ）成分は、過酸化水素又は水中で過酸化水素を発生する化合物である。水中で過酸化水素を発生する化合物としては、過炭酸ナトリウム等の過炭酸塩、過ホウ酸ナトリウム等の過ホウ酸塩等が挙げられる。過酸化水素は、水溶液（過酸化水素水）として用いることができる。
【００１４】
〔（ｂ）成分〕
本発明の液体漂白剤組成物の製造方法では、（ｂ）成分として下記一般式（ｂ１）で表される化合物を配合する。（ｂ）成分は（ａ）成分に対して安定であり、その他の界面活性剤が組成物中に存在するにもかかわらず十分な泡立ちを示し、且つ木目の細かい泡を提供する点から優れている。
【００１５】
Ｒ1b−（ＯＲ2b）xＧy        （ｂ１）
〔式中、Ｒ1bは、炭素数８〜１６、好ましくは１０〜１６、特に好ましくは１０〜１４の炭化水素基、好ましくはアルキル基、より好ましくは直鎖のアルキル基、Ｒ2bは炭素数２〜４のアルキレン基、好ましくはエチレン基又はプロピレン基、より好ましくはエチレン基であり、Ｇは還元糖に由来する残基、ｘは平均値０〜６の数、好ましくは０〜３、特に好ましくは０の数であり、ｙは平均値１〜１０、好ましくは１〜５、特に好ましくは１〜２の数を示す。〕
【００１６】
Ｇは還元糖に由来する残基であり、原料の還元糖としては、アルドースとケトースの何れであっても良く、また、炭素数が３〜６個のトリオース、テトロース、ペントース、ヘキソースを挙げることができる。アルドースとして具体的にはアピオース、アラビノース、ガラクトース、グルコース、リキソース、マンノース、アルドース、イドース、タロース、キシロースを挙げることができ、ケトースとしてはフラクトースを挙げることができる。本発明ではこれらの中でも特に炭素数５又は６のアルドペントースあるいはアルドヘキソースが好ましく、中でもグルコースが最も好ましい。
【００１７】
一般式（ｂ１）の化合物の合成方法は特に制限されるものではないが、例えば、上記の還元糖とＲ1b−（ＯＲ2b）x−ＯＨとを、酸触媒を用いて、アセタール化反応又はケタール化反応させることで容易に合成することができる。また、アセタール化反応の場合、ヘミアセタール構造であっても良く、又は通常のアセタール構造であっても良い。
【００１８】
本発明の液体漂白剤組成物の製造方法は、（ｃ１）成分と（ｃ２）成分として、アルキレンオキシ基の平均付加モル数が異なる２種のポリオキシアルキレンアルキルエーテルを特定の量比で配合する点に特徴がある。
【００１９】
〔（ｃ１）成分〕
本発明の液体漂白剤組成物の製造方法では、（ｃ１）成分としてアルキル基の炭素数が８〜１８、好ましくは１０〜１４、アルキレンオキシ基の平均付加モル数が７〜１２のポリオキシアルキレンアルキルエーテルを配合する。より具体的には下記一般式（ｃ１−１）で表される化合物及び下記一般式（ｃ１−２）で表される化合物から選ばれる１種以上が好適である。アルキレンオキシ基の平均付加モル数は、蛋白汚れや皮脂汚れの乳化促進の観点から、７以上の数、好ましくは８以上の数であり、泡の安定性、即ち、破泡のし難さの観点から、１２以下の数、好ましくは１０以下の数である。即ち、蛋白汚れや皮脂汚れの乳化促進と泡の安定性を両立できるという観点から、７〜１２の数、好ましくは８〜１０の数である。
Ｒ1c−Ｏ−（Ｃ2Ｈ4Ｏ）a−Ｈ                  （ｃ１−１）
〔式中、Ｒ1cは炭素数８〜１８、好ましくは１０〜１４の炭化水素基、好ましくはアルキル基、より好ましくは直鎖のアルキル基を示す。ａは７〜１２の数、好ましくは８〜１０の数である。〕
Ｒ2c−Ｏ−［（Ｃ2Ｈ4Ｏ）b／（Ｃ3Ｈ6Ｏ）c］−Ｈ    （ｃ１−１）
〔式中、Ｒ2cは炭素数８〜１８、好ましくは１０〜１４のアルキル基を示す。ｂ及びｃはそれぞれ独立に２〜１０の数であり、ｂ＋ｃは７〜１２の数、好ましくは８〜１０の数である。“／”は、Ｃ2Ｈ4ＯとＣ3Ｈ6Ｏがランダム付加でもブロック付加でもよいことを示す記号であるが、Ｒ2c−Ｏ−に（Ｃ2Ｈ4Ｏ）b、（Ｃ3Ｈ6Ｏ）cの順番にブロック付加したものが好ましい。〕
【００２０】
（ｃ１）成分は、起泡性が低いため、一般的には泡状で塗布する組成物に配合することは不適切であると考えられるが、漂白力や洗浄力を改善するためには有利な成分である。本発明の製造方法により得られる液体漂白剤組成物では、（ｃ１）成分を（ｃ２）成分、更に、（ａ）、（ｂ）成分と併用することにより、泡立ちを維持しながら優れた漂白力や洗浄力を得ることができる。更に後述する（ｆ）成分の漂白活性化剤を配合する場合には、（ｃ１）成分は、（ｆ）成分の安定化の為に重要な成分でもある。
【００２１】
〔（ｃ２）成分〕
本発明の液体漂白剤組成物の製造方法では、（ｃ２）成分としてアルキル基の炭素数が８〜１８、好ましくは１０〜１４、アルキレンオキシ基の平均付加モル数が２〜５のポリオキシアルキレンアルキルエーテルを配合する。ここで、アルキル基は、直鎖アルキル基でもまた分岐構造を有するアルキル基でも用いることができるが、汚れへの浸透性の向上の観点から、分岐構造を有するアルキル基であることが好ましい。より具体的には下記一般式（ｃ２−１）で表される化合物及び下記一般式（ｃ２−２）で表される化合物から選ばれる１種以上が好適である。アルキレンオキシ基の平均付加モル数は、脂汚れへの浸透性の観点から、２以上の数、好ましくは２．５以上の数、より好ましく３以上の数である一方、５以下の数、好ましくは４以下の数、より好ましくは３．５以下の数である。即ち、２〜５の数、好ましくは２．５〜４の数、より好ましくは３〜３．５の数である。
Ｒ3c−Ｏ−（Ｃ2Ｈ4Ｏ）d−Ｈ                  （ｃ２−１）
〔式中、Ｒ3cは炭素数８〜１８、好ましくは１０〜１４のアルキル基、好ましくは直鎖又は分岐構造を有するアルキル基、より好ましくは分岐構造を有するアルキル基を示す。ｄは２〜５の数、好ましくは２．５〜４の数、より好ましくは３〜３．５の数である。〕
Ｒ4c−Ｏ−［（Ｃ2Ｈ4Ｏ）e／（Ｃ3Ｈ6Ｏ）f］−Ｈ    （ｃ２−２）
〔式中、Ｒ4cは炭素数８〜１８、好ましくは１０〜１４のアルキル基を示す。ｅ及びｆはそれぞれ独立に１以上の数であって、ｅ＋ｆは２〜５の数、好ましくは２．５〜４の数、より好ましくは３〜３．５の数である。また、“／”は、エチレンオキシドとプロピレンオキシドはランダム付加若しくはブロック付加であってもよいことを示すが、エチレンオキシド、プロピレンオキシドの順番又はエチレンオキシド、プロピレンオキシド、エチレンオキシドの順番にブロック付加したもの、更にエチレンオキシド、プロピレンオキシド、エチレンオキシドの順番にブロック付加したものが好ましい。〕
【００２２】
（ｃ２）成分は、液体漂白剤組成物の油や皮脂汚れへの浸透性を向上できる点で有利な成分である。本発明は、（ｃ１）成分を（ｃ２）成分、更に（ｂ）成分と併用することにより、疎水性汚れや色素汚れといった複数の汚れに対する優れた漂白力や洗浄力を得たものである。
【００２３】
〔（ｄ）成分〕
本発明の液体漂白剤組成物の製造方法では、（ｄ）成分として水を配合する。本発明により製造された液体漂白剤組成物は、上記（ａ）成分〜（ｃ２）成分、更に後述する成分を（ｄ）成分である水に溶解させた水溶液（分散状態も含む）の形態で用いるものである。用いる水としては、微量に水に溶解している金属を除去したイオン交換水又は蒸留水を用いることが過酸化水素の貯蔵安定性の観点から好適である。
【００２４】
＜液体漂白剤組成物の製造方法＞
本発明の液体漂白剤組成物の製造方法では、液体漂白剤組成物の製造原料として、（ａ）成分、（ｂ）成分、（ｃ１）成分、（ｃ２）成分及び（ｄ）成分を含む成分を用いる。製造原料として（ｃ１）成分と（ｃ２）成分は別々に存在し、配合量を決定した後は、他の成分と共に適宜混合して組成物が調製される。
【００２５】
本発明では、混合する全成分（製造原料の全部と同義である。以下、配合成分という）中の（ａ）成分の割合が０．１〜３０質量％（過酸化水素として）、好ましくは０．５〜１０質量％、より好ましくは１〜５質量％、特に好ましくは２〜４質量％である。
【００２６】
また、本発明では、配合成分中の（ｂ）成分の割合が０．５〜１０質量％、好ましくは１〜８質量％、特に好ましくは１．５〜５質量％である。このような範囲において優れた漂白効果を得ることができる。
【００２７】
また、本発明では、配合成分中の（ｃ１）成分と（ｃ２）成分の合計の割合が１〜２０質量％、好ましくは４〜１５質量％、より好ましくは７〜１０質量％である。
【００２８】
また、本発明では、（ｂ）成分、（ｃ１）成分、（ｃ２）成分を、（ｂ）成分／〔（ｃ１）成分＋（ｃ２）成分〕で１／１０〜２０／１０、好ましくは２／１０〜１０／１０、より好ましくは３／１０〜７／１０の質量比で混合する。この範囲を満たすことで、液体漂白剤組成物から形成されるきめ細かな泡状の組成物を衣類に付着・浸透させることができるので、漂白効果がより顕著に向上する。
【００２９】
また、本発明では、（ｃ１）成分と（ｃ２）成分を、（ｃ１）／（ｃ２）＝１２／１〜４０／１、好ましくは１４／１〜３０／１、より好ましくは１５／１〜２５／１、更に好ましくは１６／１〜２０／１の質量比で混合する。
【００３０】
また、配合成分中の（ｃ１）成分の割合は、上記した配合成分中の（ｃ１）成分と（ｃ２）成分の合計の割合と（ｂ）成分／［（ｃ１）成分＋（ｃ２）成分］質量比や（ｃ１）／（ｃ２）質量比を満たした上で、好ましくは１〜２０質量％、より好ましくは２〜１６質量％、特に好ましくは４〜１２質量％である。
【００３１】
また、配合成分中の（ｃ２）成分の割合は、上記した配合成分中の（ｃ１）成分と（ｃ２）成分の合計の割合と（ｂ）成分／［（ｃ１）成分＋（ｃ２）成分］質量比や（ｃ１）／（ｃ２）質量比を満たした上で、好ましくは０．１〜２質量％、より好ましくは０．２〜１．５質量％、より好ましくは０．３〜１質量％である。
【００３２】
本発明では、配合成分中の（ｄ）成分の割合が好ましくは７０〜９８質量％、より好ましくは８０〜９５質量％である。
【００３３】
本発明では、（ａ）〜（ｄ）成分と共に、以下のような成分を混合することができる。
〔（ｅ）成分〕
本発明により製造される液体漂白剤組成物は、漂白効果を高める目的で溶剤〔以下、（ｅ）成分という〕を含有することが好ましい。そのため、本発明の液体漂白剤組成物の製造方法では、配合成分として、（ｅ）成分を用いることが好ましい。（ｅ）成分としては（１）炭素数１〜５の１価アルコール、（２）炭素数２〜１２の多価アルコール、（３）下記の一般式（ｅ１）で表される化合物、（４）１，３−ジメチル−２−イミダゾリジノン、１，３−ジエチル−２−イミダゾリジノン、（５）下記の一般式（ｅ２）で表される化合物が好適である。
【００３４】
Ｒ1e−Ｏ−［（Ｃ2Ｈ4Ｏ）p／（Ｃ3Ｈ6Ｏ）q］−Ｒ2e        （ｅ１）
〔式中、Ｒ1e及びＲ2eは、それぞれ水素原子、炭素数１〜８、好ましくは１〜６の炭化水素基を示すが、Ｒ1e及びＲ2eの双方が水素原子となる場合を除く。ｐはＣ2Ｈ4Ｏの平均付加モル数であり０〜１０の数を、ｑはＣ3Ｈ6Ｏの平均付加モル数であり０〜１０の数を示すが、ｐ及びｑの双方が０である場合を除く。“／”は、Ｃ2Ｈ4ＯとＣ3Ｈ6Ｏがランダム付加でもブロック付加でもよいことを示す記号である。〕
Ｒ3eＯＣＨ2ＣＨ（ＯＨ）ＣＨ2ＯＨ                      （ｅ２）
〔式中、Ｒ3eは炭素数１〜８のアルキル基を示す。〕
【００３５】
（１）の炭素数１〜５の１価アルコールとしては、一般的にエタノール、プロピルアルコール、イソプロピルアルコールが挙げられる。これらの低級アルコールを配合することにより低温における系の安定性を更に向上させることができる。
【００３６】
（２）の炭素数２〜１２の多価アルコールとしては、イソプレングリコール、２，２，４−トリメチル−１，３−ペンタンジオール、１，８−オクタンジオール、１，９−ノナンジオール、エチレングリコール、プロピレングリコール、ジエチレングリコール、ジプロピレングリコール、グリセリン等が挙げられる。
【００３７】
（３）の化合物において、一般式（ｅ１）中のＲ1e及びＲ2eの炭素数１〜８、好ましくは１〜６の炭化水素基としては、アルキル基、アルケニル基、アリール基（フェニル基、ベンジル基等）が挙げられる。一般式（ｅ１）において、Ｒ1e、Ｒ2eがそれぞれ炭化水素基、好ましくはアルキル基である場合、炭素数はそれぞれ１〜４が好ましい。また、一般式（ｅ１）中、Ｃ2Ｈ4Ｏ及びＣ3Ｈ6Ｏの平均付加モル数のｐ及びｑは、それぞれ０〜１０の数である（ｐ及びｑの双方が０である場合を除く）が、これらの付加順序は特に限定されず、ランダム付加したものであってもよい。（３）の化合物の具体例としては、エチレングリコールモノブチルエーテル、ジプロピレングリコールジメチルエーテル、ジエチレングリコールモノエチルエーテル、ジエチレングリコールモノブチルエーテル、プロピレングリコールモノメチルエーテル、プロピレングリコールモノブチルエーテル、プロピレングリコールモノエチルエーテル、プロピレングリコールジメチルエーテル、ポリオキシエチレン（ｐ＝２〜３）ポリオキシプロピレン（ｑ＝２〜３）ジメチルエーテル、ポリオキシエチレン（ｐ＝３）フェニルエーテル、フェニルカルビトール、フェニルセロソルブ、ベンジルカルビトール等が挙げられる。このうち、漂白・洗浄力及び使用感の観点から、プロピレングリコールモノメチルエーテル、ジエチレングリコールモノブチルエーテル、ポリオキシエチレン（ｐ＝１〜４）モノフェニルエーテルが好ましく、ジエチレングリコールモノブチルエーテル、ポリオキシエチレン（ｐ＝１〜４）モノフェニルエーテルがより好ましく、中でもポリオキシエチレン（ｐ＝１〜４）モノフェニルエーテルが特に好ましい。
【００３８】
また、（５）の化合物としてはアルキルグリセリルエーテル化合物が挙げられ、好ましくは一般式（ｅ２）中のＲ3eが炭素数３〜８のアルキル基の化合物である。
【００３９】
これらのなかでも、疎水性汚れや色素汚れといった複数の汚れに対する漂白力や洗浄力の観点から、（１）、（２）、（３）及び（５）から選ばれる水溶性溶剤が好ましく、特にエタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、ジエチレングリコールモノブチルエーテル、ペンチルグリセリルエーテル、オクチルグリセリルエーテル、ポリオキシエチレン（ｐ＝１〜４）モノフェニルエーテルから選ばれる溶剤が好ましい。
【００４０】
中でも、泡立ち性の向上や使用時の匂い低減の観点から、ジエチレングリコールモノブチルエーテル、ポリオキシエチレン（ｐ＝１〜４）モノフェニルエーテルが好ましく、特に、ポリオキシエチレン（ｐ＝１〜４）モノフェニルエーテルが好ましい。
【００４１】
配合成分中の（ｅ）成分の割合は、０〜３質量％、更に０．５〜２．５質量％、特に１〜２．２質量％が好ましい。
【００４２】
本発明により製造される液体漂白剤組成物の２０℃におけるｐＨは、好ましくは０〜７、より好ましくは１〜６．５、さらに好ましくは２〜５、特に好ましくは２〜４である。このようなｐＨに調整するためのｐＨ調整剤としては塩酸や硫酸など無機酸や、クエン酸、コハク酸、リンゴ酸、フマル酸、酒石酸、マロン酸、マレイン酸などの有機酸などの酸剤や、水酸化ナトリウムや水酸化カリウム、アンモニアやその誘導体、モノエタノールアミンやジエタノールアミン、トリエタノールアミンなどのアミン塩など、炭酸ナトリウム、炭酸カリウムなどのアルカリ剤を、単独若しくは複合して用いることが好ましく、特に塩酸、硫酸から選ばれる酸と水酸化ナトリウム、水酸化カリウムから選ばれるアルカリ剤を用いることが好ましい。
【００４３】
また、本発明により製造される液体漂白剤組成物は、２０℃における粘度が０．５〜７０ｍＰａ・ｓの範囲、好ましくは１〜３０ｍＰａ・ｓの範囲、より好ましくは２〜１５ｍＰａ・ｓの範囲、より好ましくは４〜１２ｍＰａ・ｓの範囲、より好ましくは６〜９ｍＰａ・ｓの範囲であることが、きめ細かな泡状の組成物として衣類へ定着・浸透性を向上できる点で好適である。このような粘度に調整するために本発明では粘度調整剤を配合することができる。粘度調整剤としては炭素数１〜３のアルキル基、若しくはヒドロキシ基が１〜３個置換していても良いベンゼンスルホン酸、重量平均分子量３，０００〜１００，０００のポリエチレングリコール又はポリプロピレングリコール、キサンタンガム、グアガム、カルボキシメチルセルロースから選ばれる糖系高分子化合物、炭素数１２〜２０、好ましくは１４〜１８のアルキル基又はアルケニル基と平均付加モル数が６０〜２００、好ましくは１００〜１５０のポリオキシエチレン鎖を有する非イオン界面活性剤及び該非イオン界面活性剤とビニルシクロヘキセンジエポキシド等のジエポキシ化合物との反応生成物を用いることができる。このような粘度調整剤の比率は、液体漂白剤組成物の配合成分中０〜１０質量％、更に０．０１〜３質量％が好適である。
【００４４】
本発明により製造される液体漂白剤組成物は、皮脂汚れに対する漂白効果を向上させる目的から（ｆ）成分として漂白活性化剤、特に疎水性漂白活性化剤を含有することが好適である。そのため、本発明の液体漂白剤組成物の製造方法では、配合成分として、（ｆ）成分を用いることが好ましい。（ｆ）成分としては、アルカノイルオキシベンゼン型漂白活性化剤が好ましく、特に炭素数８〜１４、好ましくは１０〜１２のアルカノイル基を有するアルカノイルオキシベンゼンスルホン酸、又は炭素数８〜１４、好ましくは１０〜１２のアルカノイル基を有するアルカノイルオキシベンゼンカルボン酸若しくはこれらの塩が好ましい。より具体的に好ましい例としてはオクタノイルオキシ−ｐ−ベンゼンスルホン酸、ノナノイルオキシ−ｐ−ベンゼンスルホン酸、３，５，５−トリメチルヘキサノイルオキシ−ｐ−ベンゼンスルホン酸、デカノイルオキシ−ｐ−ベンゼンスルホン酸、ドデカノイルオキシ−ｐ−ベンゼンスルホン酸、オクタノイルオキシ−ｏ−又は−ｐ−ベンゼンカルボン酸、ノナノイルオキシ−ｏ−又は−ｐ−ベンゼンカルボン酸、３，５，５−トリメチルヘキサノイルオキシ−ｏ−又は−ｐ−ベンゼンカルボン酸、デカノイルオキシ−ｏ−又は−ｐ−ベンゼンカルボン酸、ドデカノイルオキシ−ｏ−又は−ｐ−ベンゼンカルボン酸、及びこれらの塩が挙げられる。これらの塩としてはナトリウム塩、カリウム塩、マグネシウム塩が好ましく、ナトリウム塩が溶解性の点からより好ましい。
【００４５】
これらの中でも、漂白効果の観点から、ノナノイルオキシ−ｐ−ベンゼンスルホン酸、デカノイルオキシ−ｐ−ベンゼンカルボン酸、ドデカノイルオキシ−ｐ−ベンゼンスルホン酸及びこれらの塩が好ましく、デカノイルオキシ−ｐ−ベンゼンカルボン酸、ドデカノイルオキシ−ｐ−ベンゼンスルホン酸及びこれらの塩がより好ましく、ドデカノイルオキシ−ｐ−ベンゼンスルホン酸及びこれらの塩が特に好ましい。
【００４６】
配合成分中の（ｆ）成分の割合は、０．１〜５質量％、更に０．２〜３質量％、特に０．５〜１．５質量％が好ましい。
【００４７】
本発明において液体漂白剤組成物の配合成分として（ｆ）成分を用いる場合には、（ｆ）成分の組成物中における安定性を向上させる目的から、（ｃ１）成分以外に陽イオン界面活性剤及び／又は両性界面活性剤〔以下、（ｇ）成分という〕を配合することができる。
【００４８】
陽イオン界面活性剤としては下記一般式（ｇ１）で表されるアンモニウム塩型陽イオン界面活性剤が好適である。
Ｒ1gＮ+（Ｒ2g）（Ｒ3g）（Ｒ4g）・Ｘ-          （ｇ１）
【００４９】
〔式中、Ｒ1gは、連結基としてエステル結合又はアミド結合（好ましくはエステル結合）を有していてもよい、炭素数８〜１８、好ましくは１０〜１８、より好ましくは１２〜１６のアルキル基またはアルケニル基であり、Ｒ2g、Ｒ3g、Ｒ4gは同一又は異なっていても良い炭素数１〜３のアルキル基である。Ｘ-は陰イオン、好ましくは炭素数１〜３のアルキル硫酸エステルイオン、炭素数１〜１２の脂肪酸イオン、炭素数１〜３の置換基を１〜３個有していてもよいアリールスルホン酸イオン、特に好ましくは炭素数１〜３のアルキル硫酸エステルイオンである。〕
【００５０】
また、両性界面活性剤としては下記一般式（ｇ２）で表される化合物が好適である。
【００５１】
Ｒ5g−［Ａ−Ｒ6g］rＮ+（Ｒ7g）（Ｒ8g）（Ｒ9g−Ｂ）    （ｇ２）
【００５２】
〔式中、Ｒ5gは炭素数９〜２３、好ましくは９〜１７、特に好ましくは９〜１５のアルキル基又はアルケニル基であり、Ｒ6gは炭素数１〜６、好ましくは２又は３のアルキレン基である。Ａは−ＣＯＯ−、−ＣＯＮＨ−、−ＯＣＯ−、−ＮＨＣＯ−及び−Ｏ−から選ばれる基であり、ｒは０又は１の数である。Ｒ7g、Ｒ8gは、炭素数１〜３のアルキル基又はヒドロキシアルキル基であり、Ｒ9gはヒドロキシ基で置換していてもよい炭素数１〜５、好ましくは１〜３のアルキレン基である。Ｂは−ＣＯＯ-、−ＳＯ3-、−ＯＳＯ3-から選ばれる基である。〕
【００５３】
配合成分中の（ｇ）成分の割合は、０〜２質量％、更に０．１〜１質量％、特に０．２〜０．６質量％が好ましい。また、（ｆ）成分と（ｇ）成分とを、好ましくは（ｆ）／（ｇ）＝１／１０〜５／１、より好ましくは１／３〜３／１、特に好ましくは１／１〜２／１の質量比で混合することが、得られた液体漂白剤組成物中での（ｆ）成分の貯蔵安定性の点から好適である。
【００５４】
本発明により製造される液体漂白剤組成物は、洗浄効果を向上させる目的から（ｈ）成分として陰イオン界面活性剤を含有することができる。そのため、本発明の液体漂白剤組成物の製造方法では、配合成分として、（ｈ）成分を用いることができる。（ｈ）成分の好ましい陰イオン界面活性剤としては、分子中に炭素数１０〜１８、好ましくは１０〜１６、より好ましくは１０〜１５のアルキル基又はアルケニル基と、−ＳＯ3Ｍ基及び／又は−ＯＳＯ3Ｍ基〔Ｍ：対イオン〕を有する陰イオン界面活性剤が好ましい。具体的には上記炭素数を有するアルキルベンゼンスルホン酸、アルキル（又はアルケニル）硫酸エステル、アルキレンオキシド平均付加モル数１〜６のポリオキシアルキレンアルキル（又はアルケニル）エーテル硫酸エステル、オレフィンスルホン酸、アルカンスルホン酸、α−スルホ脂肪酸、α−スルホ脂肪酸エステル及びこれらの塩が好ましい。これらの中でも特に炭素数１０〜１６のアルキル基又はアルケニル基を有するアルキル（又はアルケニル）硫酸エステル、炭素数１０〜１６のアルキル基又はアルケニル基を有し、エチレンオキシド（以下、ＥＯと表記する）平均付加モル数が１〜６、好ましくは１〜４、特に好ましくは１〜３であるポリオキシエチレンアルキル（又はアルケニル）エーテル硫酸エステル、若しくは炭素数１０〜１５のアルキルベンゼンスルホン酸、およびこれらの塩から選ばれる一種以上を配合することが好ましい。塩としては、ナトリウム塩、カリウム塩、アンモニウム塩、アルカノールアミン塩が良好である。
【００５５】
配合成分中の（ｈ）成分の割合は、０〜５質量％、更に０．５〜４質量％、特に１〜３質量％が好ましい。
【００５６】
本発明により製造される液体漂白剤組成物は、漂白効果を高める目的から分散能を有する化合物〔以下、（ｉ）成分という〕を含有することができる。特に、重量平均分子量５千〜４万、好ましくは５千〜１万のポリアクリル酸若しくはその塩又はポリメタクリル酸若しくはその塩、重量平均分子量１万〜１０万、好ましくは３万〜７万のアクリル酸とマレイン酸のコポリマー若しくはその塩から選ばれるカルボン酸系ポリマー、及び重量平均分子量４千〜２万、好ましくは５千〜１万のポリエチレングリコールから選ばれる非イオン性ポリマーが好ましい。
【００５７】
配合成分中の（ｉ）成分の割合は、０．０５〜１４質量％、更に０．１〜８質量％が好適である。
【００５８】
さらに本発明により製造される液体漂白剤組成物は、漂白効果を向上させる目的から金属イオン封鎖剤〔以下、（ｊ）成分という〕を含有することが好ましい。そのため、本発明の液体漂白剤組成物の製造方法では、配合成分として、（ｊ）成分を用いることが好ましい。（ｊ）成分としては、（１）フィチン酸等のリン酸系化合物又はこれらのアルカリ金属塩若しくはアルカノールアミン塩、（２）エタン−１，１−ジホスホン酸、エタン−１，１，２−トリホスホン酸、エタン−１−ヒドロキシ−１，１−ジホスホン酸（１−ヒドロキシエチリデン−１，１−ジホスホン酸）およびその誘導体、エタンヒドロキシ−１，１，２−トリホスホン酸、エタン−１，２−ジカルボキシ−１，２−ジホスホン酸、メタンヒドロキシホスホン酸等のホスホン酸又はこれらのアルカリ金属塩若しくはアルカノールアミン塩、（３）２−ホスホノブタン−１，２−ジカルボン酸、１−ホスホノブタン−２，３，４−トリカルボン酸、α−メチルホスホノコハク酸等のホスホノカルボン酸又はこれらのアルカリ金属塩若しくはアルカノールアミン塩、（４）アスパラギン酸、グルタミン酸、グリシン等のアミノ酸又はこれらのアルカリ金属塩若しくはアルカノールアミン塩、（５）ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラミン六酢酸、ジエンコル酸等のアミノポリ酢酸又はこれらのアルカリ金属塩若しくはアルカノールアミン塩、（６）ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキシメチル酒石酸などの有機酸又はこれらのアルカリ金属塩若しくはアルカノールアミン塩、（７）ゼオライトＡに代表されるアルミノケイ酸のアルカリ金属塩又はアルカノールアミン塩、（８）アミノポリ（メチレンホスホン酸）若しくはそのアルカリ金属塩若しくはアルカノールアミン塩、又はポリエチレンポリアミンポリ（メチレンホスホン酸）若しくはそのアルカリ金属塩若しくはアルカノールアミン塩を挙げることができる。
【００５９】
これらの中で上記（２）、（５）、（６）および（７）からなる群より選ばれる少なくとも１種が好ましく、上記（２）の群より選ばれる少なくとも１種がより好ましく、中でもエタン−１，１−ジホスホン酸、エタン−１−ヒドロキシ−１，１−ジホスホン酸（１−ヒドロキシエチリデン−１，１−ジホスホン酸）が特に好ましい。
【００６０】
配合成分中の（ｊ）成分の割合は、０．００５〜５質量％、更に０．０１〜２質量％が好ましい。
【００６１】
その他、本発明では、漂白繊維に対する漂白効果を増すために蛍光増白剤として、チノパールＣＢＳ（チバ・ガイギー社製）、チノパールＳＷＮ（チバ・ガイギー社製）や、カラー・インデックス蛍光増白剤２８、４０、６１、７１等のような蛍光増白剤や、漂白性能を向上させるために酵素（セルラーゼ、アミラーゼ、プロテアーゼ、リパーゼ）を配合成分として用いることができる。また染料や顔料のような着色剤、香料、シリコーン類、殺菌剤、紫外線吸収剤等の種々の微量添加物を適量配合してもよい。
【００６２】
本発明では、上記（ａ）〜（ｄ）成分及びその他の成分を混合するが、混合方法、混合順序は特に制限されない。液体漂白剤組成物の製造にあっては、最終的な組成に基づいて、配合時点での原料及びその配合量を決定する。本発明では、少なくとも（ａ）〜（ｄ）成分を含む成分を原料として用い、更に（ｃ１）成分と（ｃ２）成分の合計、（ｂ）／〔（ｃ１）＋（ｃ２）〕の質量比、及び（ｃ１）／（ｃ２）の質量比を、ぞれぞれ配合時点で特定範囲とする。
【００６３】
＜液体漂白剤組成物＞
本発明により、（ａ）過酸化水素又は水中で過酸化水素を発生する化合物、（ｂ）下記一般式（ｂ１）で表される化合物、（ｃ１）アルキル基の炭素数が８〜１８、オキシアルキレン基の平均付加モル数が７〜１２のポリオキシアルキレンアルキルエーテル、（ｃ２）アルキル基の炭素数が８〜１８、オキシアルキレン基の平均付加モル数が２〜５のポリオキシアルキレンアルキルエーテル、及び（ｄ）水を含む成分を配合してなる液体漂白剤組成物であって、
全配合成分中の割合が、（ａ）０．１〜３０質量％（過酸化水素として）、（ｂ）０．５〜１０質量％、（ｃ１）と（ｃ２）の合計が１〜２０質量％であり、且つ
（ｂ）と（ｃ１）と（ｃ２）との質量比が（ｂ）／〔（ｃ１）＋（ｃ２）〕＝１／１０〜２０／１０であり、（ｃ１）と（ｃ２）との質量比が（ｃ１）／（ｃ２）＝１２／１〜４０／１である、液体漂白剤組成物が提供される。
Ｒ1b−（ＯＲ2b）xＧy        （ｂ１）
〔式中、Ｒ1bは炭素数８〜１６の炭化水素基、Ｒ2bは炭素数２〜４のアルキレン基、Ｇは還元糖に由来する残基、ｘは平均値０〜６の数、ｙは平均値１〜１０の数を示す。〕
【００６４】
この液体漂白剤組成物は、本発明の製造方法により製造されることが好ましく、各成分の好ましい態様、好ましい配合割合、配合可能な任意成分などは、本発明の製造方法の記載を適用できる。
【００６５】
また、本発明は、上記本発明の製造方法で得られた液体漂白剤組成物に関する。
【００６６】
本発明に係る液体漂白剤組成物は、泡状で衣類等の繊維製品（処理対象物）に適用されることが好ましく、具体的には、本発明に係る液体漂白剤組成物から形成される泡状の組成物を衣類等の繊維製品と接触させる衣類の漂白方法に用いられることが好ましい。更には、本発明に係る液体漂白剤組成物から形成される泡状の組成物を、共役二重結合を有する色素で汚染された衣類と接触させる衣類の洗浄方法が好ましい。この場合、衣類の共役二重結合を有する色素で汚染された部位に泡状の組成物を接触させる。共役二重結合を有する色素としては、クロロフィルが挙げられる。クロロフィルはほうれん草などの植物に含まれる落としにくい色素であり、本発明に係る液体漂白剤組成物はこのような色素汚れに対しても優れた漂白効果、洗浄効果を発揮する。
【００６７】
本発明において用いられる泡状の組成物とは、上述した液体漂白剤組成物と気体（典型的には空気）との泡沫からなるものである。特に、本発明において「泡状」とは、対象表面に付着させたときの組成物の単位質量当りの見掛け体積が、気泡を含むことにより２倍以上となり、且つ１分経過後も２倍以上の見掛け体積を保持した状態をいう。
【００６８】
また、泡状の組成物を構成する気泡は、平均粒径１〜１０，０００μｍ、更に１０〜５，０００μｍ、特に１００〜３，０００μｍであることが好ましい。
【００６９】
このような泡状の組成物を形成して衣料と接触させる方法としては、スポンジ、布帛、不織布のような溶液を保持できる柔軟で通気性のある可撓性材料に液体漂白剤組成物を含浸させて手で揉むことで泡立たせ、この泡を衣料に擦りつける方法の他、使用勝手の上、ポンプやスクイズ操作により、吐出時に空気を取り込むことにより泡を形成する機構（以下泡形成機構という）により泡立たせる方法がある。本発明では、簡便性・使用のし易さの観点から、泡形成機構を有する吐出手段を具備する容器が用いられることが好ましい。このような容器に関しては、特に制限されるものではないが、例えば特開２００４−７６００６号公報の段落００５６〜００７８に記載の泡形成機能を有する容器を用いることができる。
【００７０】
その他に、泡形成機構を有するトリガー式スプレーヤーの例としては、特開平１１−１００５９４号公報、登録実用新案第３０４４０６８号に記載の吐出機を有するトリガーの他、特開２０００−１８５２４７号公報、特開２００１−３３４１７８号公報、特開２００２−２０２６６号公報、特開平７−２５６１６２号公報、特開平８−７１４６３号公報、特開平９−２８５７４６号公報、特開平１０−８５６３７号公報、実開平７−９４５１号公報、実開平７−９４５２号公報などが挙げられる。
【００７１】
また、スクイズフォーマーの例としては、実開昭５８−１７４２７２号公報、実開昭６２−４２７８７号公報、特公昭５２−１６５６７号公報等や、ポンプ機構を備えたキャップの頭を手指で押圧することにより泡を吐出するポンプフォーマーとしては、実開平３−７９６３号公報、実開昭６２−１０３４５８号公報が挙げられる。
【００７２】
泡状の組成物の衣類への付着量は０．１〜１ｇ／ｃｍ2、更に０．１〜０．５ｇ／ｃｍ2であることが高い漂白効果を得る観点から好ましい。また、泡状の組成物と衣料の接触時間は、１〜６００分間、更に３〜３００分間、特に５〜６０分間が好ましい。このような処理の後、好ましくは一般のアルカリ性洗剤と共に洗濯する。
【００７３】
本発明に係る液体漂白剤組成物から形成される泡状の組成物は、衿回りの皮脂に由来する疎水性汚れやほうれん草のような植物に由来する草汁汚れからなる複数の汚れに対して有効である。即ち、その洗浄機構は必ずしも定かではないが、共役二重結合を有する色素、例えば緑色の色素成分であるクロロフィルで汚染された衣類と上記泡状の組成物を接触させることにより衣類を洗浄する場合において、特に有効と考えられる。本発明では、（ｃ１）成分と（ｃ２）とを特定条件で混合して液体漂白剤組成物を製造する。その結果、得られた組成物中では、単一のポリオキシアルキレンアルキルエーテルを配合した場合とは、アルキレンオキシド付加モル数分布（好ましくはエチレンオキシド付加モル数分布）やアルキル基の構造（直鎖と分岐鎖）の分布が異なるものとなり、そこに、（ａ）成分と、必要により（ｆ）成分を配合することにより、更に泡状の組成物として用いることにより、疎水性汚れや草汁汚れのような複数の汚れに対して優れた漂白効果、洗浄効果を発現するものと推察される。
【実施例】
【００７４】
＜配合成分＞
以下の例で用いた成分を示す。
・ｂ−１；一般式（ｂ１）中のＲ1bが炭素数１２のアルキル基、Ｇがグルコースに由来する残基、ｘが０、ｙが１．３のアルキルポリグルコシド
・ｃ１−１；アルキル基の炭素数が１２、アルキル基が直鎖第１級アルキル基、オキシエチレン基の平均付加モル数が８のポリオキシエチレンラウリルエーテル〔ＨＬＢ（グリフィン法、以下同様）１３．１〕
・ｃ２−１；アルキル基の炭素数が１２、アルキル基が第２級アルキル基、オキシエチレン基の平均付加モル数が３のポリオキシエチレンアルキルエーテル（ＨＬＢ７．９）
・ｃ２−２；アルキル基の炭素数が１２、アルキル基が直鎖第１級アルキル基、オキシエチレン基の平均付加モル数が２のポリオキシエチレンラウリルエーテル（ＨＬＢ６．４）
・ｄ−１：イオン交換水
・ｅ−１；ポリオキシエチレンモノフェニルエーテル〔一般式（ｅ１）中のＲ1eがフェニル基、Ｒ2eが水素原子、ｐが３、ｑが０の化合物〕
・ｅ−２；ジエチレングリコールモノブチルエーテル〔一般式（ｅ１）中のＲ1eがブチル基、Ｒ2eが水素原子、ｐが２、ｑが０の化合物〕
・ｆ−１：ドデカノイルオキシ−ｐ−ベンゼンスルホン酸ナトリウム
・ｇ−１；ラウロイルオキシ−Ｎ，Ｎ−ジメチル−Ｎ−エチルアンモニウム  エチル硫酸塩
・ｊ−１；デイクエスト２０１０（商品名、サーモフォスジャパン株式会社製、１−ヒドロキシエチリデン−１，１−ジホスホン酸）
【００７５】
実施例１
ｂ−１を３．０質量％（配合成分中の割合、以下同様）、ｃ１−１を８質量％、ｄ−１を７０質量％、ｅ−１を２質量％、ｇ−１を０．５質量％、ｊ−１を０．２質量％、均一に混合した後、ｃ２−１を０．５質量％、ｆ−１を１質量％加えて均一に混合した。次いで、ａ−１を２．５質量％、配合成分の総量を１００質量％にする量のｄ−１を加えて均一に混合した。２０℃におけるｐＨを２．５に調整して、液体漂白剤組成物を調製した。
【００７６】
得られた液体漂白剤組成物を、市販のトリガー容器入り洗浄剤（花王株式会社製ファミリーシンクまわりクリーナー、１回のストロークで０．８ｇ噴射、本発明でいう泡を形成する）の中身を抜いて水で数回洗浄し、乾燥させたものに充填した。これを用いて下記に示す方法により漂白効果を評価した。結果を表１に示す。
【００７７】
＜疎水性汚れに対する浸透性＞
ガラスシャーレ中央にモデル皮脂０．３ｇを滴下し、そのあと液体漂白剤組成物を５ｍｌ添加する。液体漂白剤組成物がモデル皮脂全体に浸透するまでの時間を測定する。ここで、モデル皮脂は、オレイン酸３０質量％、トリオレイン３０質量％及びオレイン酸コレステロール４０質量％からなるものであり、疎水性汚れのモデルとして用いたものである。
【００７８】
＜色素汚れに対する漂白性＞
（草汁汚染布の調製）
先ず、ほうれん草の茎の部分を取り除き、葉だけを回収した後に、水道水で流水濯ぎを行う。次いで、ジューサーミキサー（Ｐａｎａｓｏｎｉｃ製ＭＸ−Ｘ１０８、モード：強攪拌、粉砕時間：１０分間）で十分に粉砕を行った後に、木綿布（＃２０２３）で漉して、草汁のみを回収する。その後、グラビア法で木綿布（＃２０２３）に塗工を行った。その後プレスし、１０ｃｍ×１０ｃｍの試験布として実験に供した。
【００７９】
（評価方法）
容器から液体漂白剤組成物を泡状の組成物として噴霧して、上記で調製した草汁汚染布４枚に０．８ｇ塗布し、２０℃で５分間放置後、０．０６６７質量％濃度の市販洗剤〔花王（株）製、アタック〕溶液を使ってターゴトメーターにて洗浄した（８０ｒｐｍ×１０分）後、水道水ですすぎ乾燥させて、下式により洗浄率を求めた。４枚の洗浄率の平均値を表１に示す。
【００８０】
【数１】
0005618871.tif 000002
【００８１】
反射率は日本電色工業（株）製ＮＤＲ−１０ＤＰで４６０ｎｍフィルターを使用して測定した。
【００８２】
実施例２〜５、比較例１〜５
液体漂白剤組成物における配合成分の割合を表１の通りに変更し、実施例１と同様に液体漂白剤組成物を調製し、実施例１と同様の評価を行った。結果を表１に示す
【００８３】
【表１】
0005618871.tif 000003